(57)【特許請求の範囲】
【請求項１】
光ファイバ通信網にて、多心の光ファイバケーブルを相互に接続するクロージャと、
局側の光ファイバを加入者側の光ファイバに分岐して中継接続する中継器とから構成される光集線装置において、
加入者側の光ファイバを前記クロージャ内に引き入れ、局側からの光ファイバケーブルから分離した光ファイバ心線と合わせて１本の多心ケーブルに接続し、この１本の多心ケーブルにて前記中継器へ接続することを特徴とする光集線装置。
【請求項２】
光ファイバ通信網にて、多心の光ファイバケーブルを相互に接続するクロージャと、
局側の光ファイバを加入者側の光ファイバに分岐して中継接続する中継器とから構成される光集線装置において、
この中継器を前記クロージャ内に収納すると共に、加入者側の光ファイバを前記クロージャ内に引き入れ、局側からの光ファイバケーブルから分離した光ファイバ心線と合わせて多心ケーブルに接続し、この多心ケーブルにて前記中継器へ接続することを特徴とする光集線装置。
【発明の詳細な説明】
【０００１】
【発明の属する技術分野】
本発明は、光ファイバ通信網の加入者接続点における、局側からの光ファイバと加入者側の光ファイバとの分岐接続を行う光集線装置に関する。
【０００２】
【従来の技術】
図３は、光ファイバ通信網における、幹線系と加入者側との中継接続の概略構成を示す。光ファイバ通信網においける加入者側の接続点では、光集線装置２０が設置され、局３０側（幹線側）の中継器３１から分岐された１心または１対（送信・受信を分けて２心を使用する場合）の光ファイバ１０と、複数（Ｎ）の加入者宅からのＮ心またはＮ組（Ｎ×２）の光ファイバ心線間との通信を相互に中継する。
【０００３】
図４は、従来の光集線装置の構成例を示す。幹線ケーブル接続部分にて、局側の多心光ファイバケーブル２４と加入者側の多心光ファイバケーブル２５とが、クロージャ２１内にて接続される。
【０００４】
一般に光ファイバケーブルを相互に接続する場合、▲１▼光ファイバと光ファイバとを融着または光コネクタで接続し、▲２▼将来の再接続も考えて充分な余長をとり、その余長部を外部からの応力を受けないように収納し、▲３▼光ファイバのテンションメンバを固定し、▲４▼接続部に水や湿気が入らないようにケーブルシースを接続する必要がある。以上の目的を達成するために上記のクロージャが用いられる。
【０００５】
このクロージャ２１内で、局側ケーブル２４から光ファイバ心線２４ａを分離し、単心ケーブル２７に接続する（送信・受信を分けて２心を使用する場合は、２心ケーブルを用いる）。この単心ケーブル２７を集線装置２２に導入し、集線装置２２内では、単心ケーブル２７が中継器２３に接続される。一方、加入者側へ接続する複数の光ファイバ２６もそれぞれ集線装置２２内に引き入れられ、心線が中継器２３に接続される。そして中継器２３内で、単心ケーブル２７から複数の光ファイバ２６に分岐して中継接続される。
【０００６】
【発明が解決しようとする課題】
しかしながら、上記従来の集線装置では、中継器の交換時や保守時に、局側と加入者側を含めた多数のケーブル、すなわち上記従来例では単心ケーブル２７および複数の光ファイバ２６を再接続する必要があるため、作業性が悪い。
【０００７】
本発明は、上記課題を解決するため、作業性の良い光集線装置を提供することを目的とし、さらに部品点数の少ない光集線装置を提供することを目的とする。
【０００８】
【課題を解決するための手段】
上述の課題を解決するため、本発明の光集線装置は、光ファイバ通信網にて、多心の光ファイバケーブルを相互に接続するクロージャと、局側の光ファイバを加入者側の光ファイバに分岐して中継接続する中継器とから構成される光集線装置において、加入者側の光ファイバを前記クロージャ内に引き入れ、局側からの光ファイバケーブルから分離した光ファイバ心線と合わせて１本の多心ケーブルに接続し、この１本の多心ケーブルにて前記中継器へ接続することを特徴とする。
【０００９】
以上の構成によって、クロージャ内で、加入者側の光ファイバと局側の光ファイバ心線と合わせて１本の多心ケーブルとして中継器へ接続するため、中継器を内蔵した集線装置を交換する際に再接続するケーブルが１本で済む。
【００１０】
さらに、中継器をクロージャ内に収納する構成とすることによって、クロージャと中継器とを接続するケーブルが不要となる。
【００１１】
【発明の実施の形態】
以下、図面を参照して本発明の実施の形態を詳細に説明する。
【００１２】
図１は、本発明の光集線装置の第１の構成例を示す。局側の多心光ファイバケーブル４と加入者側の多心光ファイバケーブル５とが、クロージャ１内で接続され、このクロージャ１内で局側の光ファイバケーブル４から単心の光ファイバ心線４ａが引き出されている。また各加入者からの複数の光ファイバ６がクロージャ１に引き込まれ、単心の光ファイバ心線４ａと共に１本の多心ケーブル７に接続され、この多心ケーブル７にて集線装置２に接続される。集線装置２内では、多心ケーブル７が多心コネクタ８を介して中継器３に接続されている。中継器３内では、単心の光ファイバ心線４ａから複数の光ファイバ６に分岐して中継接続される。接続はコネクタまたは融着で行う。
【００１３】
上記構成にて中継器の故障や中継器をより高性能なものに置き換えるために集線装置２を交換する場合、多心ケーブル７を多心コネクタ８にて外すのみで、集線装置２を脱着できる。
【００１４】
また、上記構成にて、多心ケーブル７の中継器３への接続を多心コネクタ８ではなく、単心コネクタや融着接続にて行うこともできる。この場合、多心コネクタを用いた場合に比べ、接続作業性は劣るが、ケーブル固定作業は一本分で済むため、従来例より作業性は改善される。
【００１５】
なお、本実施の形態では、局側の光ファイバケーブル４から単心の光ファイバ心線４ａを引き出す構成としたが、送信・受信を分けて２心を使用する場合は、一対の２心の光ファイバ心線を引き出す。
【００１６】
以上の構成によって、集線装置の交換時に再接続するケーブルが１本で済み、コネクタの接続も一括で行えるため作業性が向上する。
【００１７】
図２は、本発明の光集線装置の第２の構成例を示す。局側の多心光ファイバケーブル１３と加入者側の多心光ファイバケーブル１４とが、クロージャ一体型集線装置１１内で接続され、このクロージャ一体型集線装置１１内で局側の光ファイバケーブル１３から単心の光ファイバ心線１３ａが引き出されている。また各加入者からの複数の光ファイバ１５がクロージャ一体型集線装置１１に引き込まれている。この複数の光ファイバ１５と単心の光ファイバ心線１３ａとが、それぞれ多心の光ファイバ１６に接続され、多心コネクタ１７を介して中継器１２に接続されている。中継器１２内では、単心の光ファイバ心線１３ａから複数の光ファイバ１５に分岐して中継接続される。
【００１８】
本実施の形態でも、送信・受信を分けて２心を使用する場合は、局側の光ファイバケーブルから一対の２心の光ファイバ心線を引き出す。
【００１９】
第１の構成では、クロージャと集線装置とを別々に設置し、それぞれをケーブル接続する必要があるため、その分の作業工数と部品を必要とするが、上記第２の構成では、中継器をクロージャ一体型集線装置内に収納したので、設置作業の省力化が図れる。また上記装置は防水特性を要求されるが、クロージャと集線装置とを一体化することで防水ケースを一つにすることができる。さらにクロージャと集線装置とを接続するケーブルが不要となり、部品点数が減り、コストを削減することができる。
【００２０】
さらに中継器部分をモジュール化し、クロージャ一体型集線装置から着脱可能とすることもできる。これによって、中継器部分の機能向上のための交換に容易に対応可能となる。また中継器を実装せずにクロージャのみを設置し、後に中継器を実装する構成とすることもできる。この場合、初期投資を抑えることができる。
【００２１】
【発明の効果】
以上説明した通り、本発明の請求項１に記載の光集線装置は、クロージャ内で、加入者側の光ファイバと局側の光ファイバ心線と合わせて１本の多心ケーブルとして中継器へ接続するので、中継器を内蔵した集線装置を交換する際に再接続するケーブルが１本で済み、作業性が向上する。
【００２２】
さらに一本の多心ケーブルを多心コネクタを介して中継器へ接続することで、コネクタの接続も一括で行えるため、さらに作業性が向上する。
【００２３】
本発明の請求項２に記載の光集線装置は、中継器をクロージャ内に収納したので、設置作業の省力化が図れると共に、クロージャと中継器とを接続するケーブルが不要となり、部品点数が減り、コストを削減することができる。
【００２４】
さらに中継器に多心コネクタを備え、クロージャから着脱可能にすることによって、中継器の交換や後からの実装が容易となり、保守管理が容易かつ低コストで可能である。
【図面の簡単な説明】
【図１】本発明の光集線装置の第１の構成例を示す図である。
【図２】本発明の光集線装置の第２の構成例を示す図である。
【図３】光ファイバ通信網における中継接続の概略構成図である。
【図４】従来の光集線装置の構成例を示す図である。
【符号の説明】
１…クロージャ，２…集線装置，３…中継器，４…局側光ファイバケーブル，４ａ…光ファイバ心線，５…加入者側光ファイバケーブル，６…加入者からの光ファイバ，７…多心ケーブル，８…多心コネクタ。
【図１】
0003563620.tif 000002
【図２】
0003563620.tif 000003
【図３】
0003563620.tif 000004
【図４】
0003563620.tif 000005